(57)【要約】【課題】受話部を耳に正確にフィットさせ得ることができる携帯電話機器を提供する。【解決手段】受話側筐体部６を第２の筐体４に対して回動自在に取付けており、操作キー３４Ａ、３４Ｂを操作したり、第１、第２の筐体３、４を手動又は自動で開閉したりすることにより、受話側筐体部６が第２の筐体４に対して自動的に開閉して、使用者の耳にフィットする形状に構成した。【選択図】　図７
2004112061.tif 000002
【特許請求の範囲】
【請求項１】
本体を構成する筐体のうち受話部を設けた一方側の端部を構成する受話側筐体部を、前記筐体のうち中央側筐体部に対して回動可能に取付けたことを特徴とする携帯電話機器。
【請求項２】
前記筐体のいずれかの一部に設けた操作キーを備え、
前記操作キーを操作することにより、前記受話側筐体部が自動的に前記中央側筐体部に対し開放方向に回動するように構成したことを特徴とする請求項１に記載の携帯電話機器。
【請求項３】
前記中央側筐体部に対して前記受話側筐体部の開閉角度を記憶する受話側筐体開閉角度記憶部と、
前記受話側筐体開閉角度記憶部に記憶された前記受話側筐体部の前記開閉角度にしたがって前記受話側筐体部を前記中央側筐体部に対し開閉する開閉手段と
を備えた請求項１または２に記載の携帯電話機器。
【請求項４】
前記受話側筐体開閉角度記憶部は、
直前に使用した前記受話側筐体部の開閉角度を記憶する直前記憶手段を備えるとともに、前記直前記憶手段で記憶された前記直前に使用した受話側筐体部の開閉角度を基に、前記受話側筐体部の開放角度を決定するように構成した請求項３に記載の携帯電話機器。
【請求項５】
前記中央側筐体部は、
軸部を中心に折畳自在に連結された第１、第２の筐体を備えるとともに、前記第１、第２の筐体を開放させたとき、これに連動して前記受話側筐体部が自動的に開放するように構成した請求項１乃至３のいずれか１項に記載の携帯電話機器。
【請求項６】
前記中央側筐体部は、
軸部を中心に折畳自在に連結された第１、第２の筐体を備えるとともに、前記第１、第２の筐体を閉じたとき、これに連動して前記受話側筐体部が自動的に閉じるように構成した請求項１乃至３のいずれか１項に記載の携帯電話機器。
【請求項７】
前記受話側筐体部に耳の近接を検出する近接検出部と、
前記近接検出部が耳の近接を検出したとき、自動的に前記受話側筐体部を前記中央側筐体部に対し開放する方向に前記開閉手段の始動動作を制御する制御手段と
を備えた請求項１乃至４のいずれか１項に記載の携帯電話機器。
【発明の詳細な説明】
【０００１】
【発明の属する技術分野】
本発明は、通話相手からの音声を聞き取りやすくすることが可能な携帯電話機器に関する。
【０００２】
【従来の技術】
携帯電話機は、一般に、棒状に形成されたものであれ、折畳式に形成されたものであれ、いずれも本体の筐体部分の中央部に表示部及び各種キーが配置されているとともに、両端部側にそれぞれ送話部及び受話部が配置されている（例えば、特許文献１参照。）。
【０００３】
したがって、これらの携帯電話機では、本体の筐体部分の両端部側をそれぞれ口、耳にそれぞれ近接させることにより、それぞれ端部に設けてある送話部及び受話部を介して通話相手と通話することができるようになっている。
【０００４】
【特許文献１】
特開２００２−８４３５２号公報（第２頁左欄　図１）
【０００５】
【発明が解決しようとする課題】
しかしながら、従来使用されているこの種の携帯電話機は、いずれも本体の筐体部分の両端部側にそれぞれ送話部及び受話部を定位置に固定的に取付けただけのものである。一方、使用者の顔の大きさや輪郭形状、或は口や耳の配置形状は、個別に微妙に異なっており、このため、送話部及び受話部をそれぞれ使用者の口及び耳に正しくあてがわせること、特に、受話器を耳にぴったりフィットさせることは困難である、という問題があった。
【０００６】
すなわち、この種の携帯電話機では、通常、本体の筐体部分のうち、使用者の顔に対面する一方の面（以下、これを上面とよぶ）がほぼフラットな形状に形成されている（折畳型の携帯電話機でも、各筐体の上面部分は略フラット形状）ので、例えば持ち方などをいろいろ変更して工夫してみても、受話部を耳にぴったりと密着させることが難しい。その結果、通話相手からの音声が受話部から外部に漏れたり、外部の不要な音声や騒音などが大きく耳に入ってきたりして、通話相手からの音声が非常に聞きづらくなるなどの問題があった。
【０００７】
本発明は、以上のような従来の問題を解決するものであり、受話部を耳に正確にフィットさせ得ることができる携帯電話機器を提供することを目的とするものである。
【０００８】
【課題を解決するための手段】
本発明の携帯電話機器は、本体を構成する筐体のうち受話部を設けた一方側の端部を構成する受話側筐体部を、前記筐体のうち中央側筐体部に対して回動可能に取付けたことを特徴としている。
【０００９】
この構成により、受話側筐体部を耳に正確に当接されることができ、通話相手からの音声を聞きやすくすることができる。
【００１０】
また、本発明の携帯電話機器は、前記筐体のいずれかの一部に設けた操作キーを備え、前記操作キーを操作することにより、前記受話側筐体部が自動的に前記中央部側筐体部に対し開放方向に回動するように構成したことを特徴としている。
【００１１】
この構成により、操作キーを操作するだけで受話器部を任意の角度まで開放することができ、その操作が簡単になる。
【００１２】
また、本発明の携帯電話機器は、前記中央側筐体部に対して前記受話側筐体部の開閉角度を記憶する受話部開閉角度記憶部と、
前記受話部開閉角度記憶部に記憶された前記受話側筐体部の前記開閉角度にしたがって前記受話側筐体部を前記中央側筐体部に対し開閉する開閉手段と
を備えた構成とした。
【００１３】
この構成により、予め受話器部開閉角度記憶部に希望する好ましい受話器部の開閉角度を記憶させておくことにより、この記憶された希望する好ましい受話器部の開放角度まで受話器部を自動的に開放することができる。したがって、使用者にとっては予め任意に自分の希望する好ましい開放角度を設定することができ、聞き取り性能が向上するので、非常に便利なものになる。
【００１４】
また、本発明の携帯電話機器は、前記受話側筐体開閉角度記憶部が、
直前に使用した前記受話側筐体部の開閉角度を記憶する直前記憶手段を備えるとともに、前記直前記憶手段で記憶された前記直前に使用した受話側筐体部の開閉角度を基に、前記受話側筐体部の開放角度を決定するように構成した。
【００１５】
この構成により、直前に使用した受話側筐体部の開放角度をそのまま次の受話側筐体部の開放角度として設定して用いることができ、常に最良の開放角度を容易に確保することができる。
【００１６】
また、本発明の携帯電話機器は、前記中央側筐体部が、軸部を中心に折畳自在に連結された第１、第２の筐体を備えるとともに、前記第１、第２の筐体を開放させたとき、これに連動して前記受話側筐体部が自動的に開放するように構成した。
【００１７】
この構成により、第１、第２の筐体を互いに開放したとき、受話側筐体部も予め定めた一定角度まで自動的に開放されることになり、改めて受話側筐体部をいちいち所望の角度まで開放しなければならないという煩雑さから解放することができる。
【００１８】
また、本発明の携帯電話機器は、前記中央側筐体部が、軸部を中心に折畳自在に連結された第１、第２の筐体を備えるとともに、前記第１、第２の筐体を閉じたとき、これに連動して前記受話側筐体部が自動的に閉じるように構成した。
【００１９】
この構成により、第１、第２の筐体を互いに閉れば、これに連動して自動的に受話器部が閉じられるため、第１、第２の筐体が閉じられた状態で、受話側筐体部のみが開放され突出しているという不都合な状況を完全に防止することができ、携帯に際しても便利であるという作用を有する。
【００２０】
また、本発明の携帯電話機器は、前記受話側筐体部に耳の近接を検出する近接検出部と、前記近接検出部が耳の近接を検出したとき、自動的に前記受話側筐体部を前記中央側筐体部に対し開放する方向に前記開閉手段の始動動作を制御する制御手段とを備えた構成とした。
【００２１】
この構成により、受話側筐体部に耳を近接させると、これによって受話側筐体部が予め定めた一定角度まで開放されることになり、いちいち操作キーを操作しなくても済むという作用を有する。
【００２２】
【発明の実施の形態】
以下、この発明に係る実施の形態について、添付図面を参照しながら詳細に説明する。
図１は本発明の一実施の形態に係る携帯電話機の斜視図、図２は同携帯電話機の要部断面図、図３は同携帯電話機の電気的な概略ブロック図、図４乃至図７は同携帯電話機の動作を説明するための説明図である。
【００２３】
本実施の形態における携帯電話機は、図１に示すように、本体を構成する筐体１が、主に、軸部２によって互いに回動自在に連結された第１の筐体３及び第２の筐体４（この第１の筐体３及び第２の筐体４が中央部側筐体を構成している）で形成されており、この軸部２を中心に折畳み可能に構成されている。
【００２４】
このうち、第１の筐体３には、テンキー３１及び機能キー３２などが設けられている一方、第２の筐体４には、表示部４１などが設けられている。
【００２５】
また、第１の筐体３の両端部のうち、軸部２より遠い側の一端部には、音孔３３が形成されており、この音孔３３に対向する第１の筐体３の内部には、送話器（図示せず）が取り付けられている。そして、第１の筐体３の側面部には、後述する受話側筐体部６を開く方向に回動させたり、閉じる方向に回動させたりするための２つの操作キー３４Ａ、３４Ｂと、これらの回動動作をロックしたり、解除したりするための１つの操作キー３４Ｃとが取付けられている。
【００２６】
第２の筐体４には、受話側筐体部６が軸部５を介して回動自在に連結されている。この受話側筐体部６には、音孔６１が形成されているとともに、この音孔６１に対向する受話側筐体部６の内部には、受話器（図示せず）が取り付けられている。そして、更に、この受話側筐体部６には、この受話側筐体部６に耳などを接近させたとき、それを検知する近接センサ６２が付設されている。
【００２７】
第２の筐体４に対して受話側筐体部６を回動自在に連結する軸部５には、図２に示すように、開閉手段を構成するモータ５１及び減速装置５２が内装されており、モータ５１の回転によって受話側筐体部６が第２の筐体４に対して任意に回動するように構成している。
【００２８】
即ち、軸部５は、図２において、第２の筐体４側に連結された軸受５Ａと、この軸受５Ａにそれぞれ挿入固定された円筒状の軸５Ｂと、この円筒状の軸５Ｂに回転自在に嵌合された受話側筐体部６側の軸受５Ｃとで構成されており、この軸部５を構成する一方の軸５Ｂに、前述のモータ５１及び減速装置５２が取り付けられている。
なお、軸５Ｂの外側端部には、それぞれ栓５４が嵌入され、外観を見苦しくないようにしている。
【００２９】
モータ５１は、後述する図３に示す制御装置７によってその駆動動作が制御されている。
【００３０】
減速装置５２の出力軸５２Ａには、出力用のリール５３が取り付けられており、このリール５３が受話側筐体部６に連結された軸受５Ｃに連結されている。また、図示していないが、減速装置５２には、モータ５１の回転力を減速する減速機構の他に、モータ５１と出力軸５２Ａとの間に、予め定めた一定以上の異なる方向の回転力が作用したとき、これらを許容するための図示外のスリップ機構を備えている。
【００３１】
したがって、モータ５１を回転駆動することにより、そのモータ５１の回転力が、減速装置５２、リール５３を介して、受話側筐体部６に連結された軸受５Ｃに伝達され、受話側筐体部６が軸５Ｂを中心に回動動作することになる。
【００３２】
次に、モータ５１を駆動するための制御装置７について、図３を参照しながら説明する。
即ち、この制御装置７には、モータ５１を駆動するモータ制御部７１のほかに、受話側筐体部６の開閉角度を記憶する受話側筐体開閉角度記憶部７２と、操作キー３４Ａ〜３４Ｃを操作したとき、それを検出する操作キー検出部７３と、任意の情報、指令（例えば、後述する自動モード、自動記憶モード、近接検出部動作モード等の設定）などを入力するキー入力部７４と、受話側筐体部６に耳などが接近したとき、それを検出する近接センサ６２などを用いた近接検出部７５と、第１の筐体３及び第２の筐体４が開閉されたとき、それを検出する筐体開閉検出部７６と、これらを制御する中央制御部７７とを備えている。
【００３３】
モータ制御部７１は、入力が中央制御部７７の出力に接続されているとともに、出力がモータ５１に接続されている。
受話側筐体開閉角度記憶部７２は、中央制御部７７と接続されており、受話側筐体部６の予め設定された開閉角度に関するデータが中央制御部７７へ適宜出力されるようになっている。
【００３４】
操作キー検出部７３及びキー入力部７４は、それぞれ、出力が中央制御部７７の入力に接続されている。そして、操作キー検出部７３は、操作キーの押圧動作に応じて適宜の操作信号が中央制御部７７へ出力されるようになっている。一方、キー入力部７４は、前述した任意の情報、指令などのデータが中央制御部７７へ出力されるようになっている。
【００３５】
近接検出部７５及び筐体開閉検出部７６は、それぞれ、受話側筐体部６及び第１の筐体３に設置されており、どちらも、出力が中央制御部７７の入力に接続されている。
【００３６】
次に、本実施の形態に係る携帯電話機における受話側筐体部６の開閉動作について説明する。
Ａ．開放角度データの入力・設定動作：
（１）先ず、初期状態において、所望（任意）の最適な開放角度に関するデータをキー入力７４を用いて入力してその最適開放角度を受話側筐体開閉角度記憶部７２に記憶させるために、キー入力部７４で必要な指令を入力する。
【００３７】
（２）すると、それらのデータが中央制御部７７で検知され、この中央制御部７７では、受話側筐体開閉角度記憶部７２に対し、キー入力部７４より入力された任意の角度を記憶するように制御する。
【００３８】
（３）そのため、キー入力部７４を用いて入力した任意の角度データは、この時点で受話側筐体開閉角度記憶部７２に記憶される。この角度データは、複数入力し記憶させることが可能であり、たとえば、受話側筐体部６が、第２の筐体４に対して一直線上にあるときを０度として、これより背面側に向けて受話側筐体部６を傾斜したときの角度として、５度、１０度、１５度などの傾斜角度を任意に複数入力し、記憶・設定させることが可能である。
【００３９】
Ｂ．受話側筐体部６の開放動作：
このように、本実施の形態では、キー入力部７４を用いて任意の設定角度を受話側筐体開閉角度記憶部７２に記憶することが可能であり、受話側筐体開閉角度記憶部７２に任意の角度を記憶・設定させた状態で、操作キー３４Ａ、３４Ｃをそれぞれ操作すると、モータ制御部７１により、モータ５１を回転制御する。
【００４０】
（１）すなわち、操作キー３４Ａを操作した場合には、その操作毎に、受話側筐体部６を開く方向（第２の筐体４に対して背面側に向けて回動する方向）に回動させていく。
【００４１】
（２）そして、受話側筐体部６が受話側筐体開閉角度記憶部７２に記憶された次の角度（次位の設定角度）まで回動動作したところで、操作キー３４Ｂを操作した場合には、その操作毎に、閉じる方向（第２の筐体４に対して最終的に一直線上に戻るような回動方向）に回動する。
【００４２】
（３）そして、受話側筐体開閉角度記憶部７２に記憶されている次位の設定角度まで回動するように、中央制御部７７及びモータ制御部７１がそれぞれモータ５１を回転制御する。
【００４３】
したがって、本実施の形態によれば、受話側筐体開閉角度記憶部７２に、例えば、５度、１０度、１５度などとそれぞれ５度毎の角度を記憶・設定しておけば、操作キー３４Ａを操作することにより、受話側筐体部６を５度毎に順次開放することができ、操作キー３４Ｂを操作することにより、５度毎に順次閉じることができる。
【００４４】
そして、操作キー３４Ｃを操作した場合には、操作キー３４Ａ、３４Ｂの操作に関わらず、再び、操作キー３４Ｃが操作されるまで、モータ制御部７１がモータ５１を一切駆動しないように動作する。すなわち、操作キー３４Ｃは、操作キー３４Ａ、３４Ｂによる受話側筐体部６の回動操作にロックを掛ける役割を果たし、また、そのロックを解除する役割を持っている。
【００４５】
このように、本実施の形態によれば、操作キー３４Ａ、３４Ｂの操作によって、受話側筐体部６を任意の角度まで、任意に開放したり、閉じたりすることが可能であり、また、操作キー３４Ｃの操作によって、任意の角度でロックすることが可能である。
【００４６】
したがって、本実施の形態によれば、第１、第２の筐体３、４を図４の状態から図５、図６に示すように順次開放するだけでなく、この状態で、更に、受話側筐体部６を図７に示すように受話側筐体開閉角度記憶部７２に記憶された任意の角度まで開放することができ、受話器用の音孔６１、送話器用の音孔３３にそれぞれ耳、口などをぴったり効率よくフィットさせたり、近接させたりすることができる。
【００４７】
そして、本実施の形態によれば、操作キー３４Ａ、３４Ｂの操作によって任意に受話側筐体部６の開放角度を調整可能であるため、受話側筐体部６を耳に当てた状態で、その当てた状態が不都合であれば、その状態で、更に操作キー３４Ａ、３４Ｂを操作したり、直接、受話側筐体部６を手で操作したりして、受話側筐体部６の開放角度を任意に調整することができ、最終的に使用者にあった状態に容易に調整することが可能である。
【００４８】
すなわち、本実施の形態によれば、操作キー３４Ａ、３４Ｂの操作によって受話側筐体開閉角度記憶部７２に記憶された角度毎に受話側筐体部６の開放角度を調整可能であるというだけではなく、モータ５１と受話側筐体部６との間（具体的には、減速装置の中）に先述したようにスリップ機構が設けられている。
このため、受話側筐体部６に直接外部から回動方向の力を加えることにより、受話側筐体部６を操作キー３４Ａ、３４Ｂの操作に関係なく任意の角度に調整することができ、最終的に、操作キー３４Ａ、３４Ｂによる調整と、手動による調整とで容易に使用者にあった開き状態に開放することができる。
【００４９】
そして、第１、第２の筐体３、４を、図４に示すように、折畳んで閉じた場合には、それが筐体開閉検出部７６で検出され、中央制御部７７に伝達されるため、中央制御部７７がモータ制御部７１を制御し、受話側筐体部６を自動的に閉じる方向にモータ５１を駆動する。すなわち、この場合には、受話側筐体部６がどのような角度に開放されていても、モータ５１の働きによって自動的に受話側筐体部６が、図４に示すように、完全に閉じた状態に戻る。
【００５０】
次に、本実施の形態において、受話側筐体部６の回動動作が、第１、第２の筐体３、４の軸部２を中心とした回動動作に連動して行われるモード（以下、これを「自動モード」とよぶ）について説明する。
本実施の形態において、キー入力部７４を用いて予め自動モードを設定すべく、予め定めた入力データをキー入力部７４に入力する。すると、中央制御部７７がこれを検知して自動モードに設定される。
【００５１】
この自動モードになると、例えば第１、第２の筐体３、４をそれぞれ手動操作で開閉したとき、その開閉状態が筐体開閉検出部７６で検知される。これにより、中央制御部７７がモータ制御部７１を介してモータ５１を自動的に制御し、第１、第２の筐体３、４の開動作及び閉動作に応じて、受話側筐体部６をそれぞれ次の通り開動作及び閉動作するためにその制御をする。
【００５２】
Ａ．開放動作：
すなわち、第１、第２の筐体３、４が、図４に示すように、閉じた状態から、図５に示すように、９０度開いた状態までは、モータ５１を駆動せず、受話側筐体部６を閉じた状態のままにしておく。
そして、図６に示すように、１２０度に開いた状態から自動的にモータ５１を駆動し、図７に示すように、受話側筐体部６を予め定めた一定角度まで開放する。
【００５３】
Ｂ．閉鎖動作：
一方、図７に示すように、第１、第２の筐体３、４及び受話側筐体部６を開いた状態から、第１、第２の筐体３、４を折畳んで閉じる場合には、先に説明したように、例えば操作キー３４Ｂを操作すると、まず、この開放状態が筐体開閉検出部７６で検出される。
そして、筐体開閉検出部７６から出力される開放状態に対応した信号が中央制御部７７に出力される。すると、受話側筐体部６がどのような角度に開放されていても、中央制御部７７からの制御信号により、モータ５１の駆動動作が制御される。これにより、受話側筐体部６が、図４に示すように、自動的に完全に閉じた状態になるまで閉鎖動作が行われる。
【００５４】
なお、本実施の形態では、自動モードで、図７に示す状態に開放されても、その後に、先に説明したように、操作キー３４Ａ〜３４Ｃによる操作や手動操作により、受話側筐体部６の開放角度を任意に調整できるように構成されている。従って、第１、第２の筐体３、４を手動操作で折畳んで閉じた場合にも、受話側筐体部６は先に説明した場合と同様の動作を自動的に行って完全に閉じることができる。
【００５５】
このように、本実施の形態によれば、キー入力部７４を用いて自動モードに設定すれば、第１、第２の筐体３、４の開閉動作に連動して受話側筐体部６を予め定めた一定角度まで開放することができ、いちいち、操作キー３４Ａ、３４Ｂを操作しなくてもよい。
【００５６】
なお、ここで、予め定めた一定の設定角度（受話側筐体部６の開放角度）は、キー入力部７４を用いて設定（又は変更）することにより、受話側筐体開閉角度記憶部７２に任意に記憶（又は変更）可能に構成されており、受話側筐体部６を自動的に開放するときには、中央制御部７７が、受話側筐体開閉角度記憶部７２に記憶された前記一定の設定角度を参照してモータ制御部７１を制御するように構成されている。
【００５７】
従って、本実施の形態によれば、キー入力部７４を用いてそれぞれの使用者に最適な一定の設定角度を記憶・設定し、その一定の設定角度まで受話側筐体部６を自動的に開放することができる。
【００５８】
また、本実施の形態において、予めキー入力部７４を用いて設定されている設定角度を自動的に記憶するモード（これを「自動記憶モード」とよぶ）に設定しておけば、使用者が先に使用した受話側筐体部６の開閉角度を、モータ５１の回転角として、モータ制御部７１、中央制御部７７で検知し、受話側筐体開閉角度記憶部７２に自動的に上記設定角度として記憶するように構成している。
【００５９】
したがって、再び、第１、第２の筐体３、４を自動的に開放する場合には、ここで記憶された一定の設定角度が中央制御部７７で読み出され、モータ制御部７１が、受話側筐体部６を上記一定の設定角度まで開放するように自動的にモータ５１を回転制御することになる。すなわち、本実施の形態によれば、予め先に使用した受話側筐体部６の開放角度を記憶しておくことができ、次に使用するときには、その開放角度まで自動的に受話側筐体部６を開放して使用することができる。
【００６０】
また、本実施の形態では、予めキー入力部７４を用いて、受話側筐体部６を耳などに接近させると自動的にこれを検出して受話側筐体部６を自動開放するモード（これを「近接検出部動作モード」とよぶ）に設定しておけば、受話器部６に耳などが近接したとき、それを近接検出部７５で検出し、この検出信号が中央制御部７７に出力されるようになっている。そして、この検出信号を入力した中央制御部７７からは制御信号がモータ制御部７１を介してモータ５１に出力される。
これにより、受話側筐体部６を予め定めた一定角度まで自動的に開放するように構成している。
【００６１】
従って、操作キー３４Ａを操作しなくても、図６に示す状態で、受話側筐体部６に耳を近接させれば、自動的に、図４７に示すように、受話器部６が一定の設定角度まで開放されることになり、その使い勝手が更に向上する。
【００６２】
なお、以上説明した本実施の形態では、操作キー３４Ａ、３４Ｂを操作する毎に、受話側筐体部６が予め定めた次の設定角度（これを、「次位の設定角度」とよぶ）まで自動的に開閉するように構成しているが、予め次位の設定角度までの間隔を記憶・設定しておき、その設定間隔分だけ開閉されるように構成してもよく、また、操作キー３４Ａ、３４Ｂを操作し続けた場合には、予め定めた次位の設定角度や設定間隔に関係なく、連続して自動的に開閉させるように構成してもよい。
【００６３】
また、本実施の形態では、自動モードにおいて、図４の状態から図５の状態までは、受話側筐体部６が開放しないようにしているが、受話側筐体部６が開放するタイミングは任意に設定してもよい。
すなわち、受話側筐体部６は、図４に示す状態でわずかでも第１、第２の筐体３、４が開放されれば、その状態から開放動作を開始してもよく、また、閉じる場合には、図５に示す状態から図４に至る途中で受話側筐体部６が閉じるように構成してもよい。要するに、受話側筐体部６の開閉動作の開始、終了のタイミングは、任意に設定すればよい。
【００６４】
また、本実施の形態では、受話側筐体部６の開閉制御をモータ５１によって全て行っているが、その一部又は全部をコイルスプリング、その他の適宜部材によって行ってもよい。
また、本実施の形態では、受話側筐体部６が第１、第２の筐体３、４に対して回動可能な状態に連結されているが、これとともに、送話部のある第１の筐体３の端部側を第１の筐体から分離させて送話側筐体部とし、かつ、この送話側筐体部を第１の筐体３（中央側筐体部）に対して回動可能な状態で連結させた構成としてもよい。
さらに、本実施の形態では、折畳式の携帯電話機に適用しているが、棒状の携帯電話機に適用することも勿論可能である。
【００６５】
【発明の効果】
以上説明してきたように、この発明では、本体を構成する筐体のうち受話側筐体部が中央側筐体部に対して回動自在に取付けられており、受話側筐体部を任意に回動操作することにより、受話部を耳に正確にフィットさせ得ることができる。これにより、通話相手の音声が外部に漏れず、また、外部の雑音が耳に入らないようにできるので、通話相手の音声を非常に聞きやすくすることができる、という利点を有する。
【図面の簡単な説明】
【図１】本発明の一実施の形態に係る携帯電話機を開いた時の状態を示す斜視図である。
【図２】同携帯電話機の要部（軸部）を示す断側面図である。
【図３】同携帯電話機の電気的な構成を示すブロック図である。
【図４】同携帯電話機の動作を示すものであり、第１及び第２の筐体を閉じて折畳んだ状態を示す側面図である。
【図５】同携帯電話機の動作を示すものであり、第１及び第２の筐体を９０度開いた状態を示す側面図である。
【図６】同携帯電話機の動作を示すものであり、第１及び第２の筐体を１２０度前後開いた状態を示す側面図である。
【図７】同携帯電話機の動作を示すものであり、受話側筐体部を開いた状態を示す側面図である。
【符号の説明】
１　　　（本体を構成）筐体
２　　　軸部
３　　　第１の筐体（中央側筐体部）
３１　　テンキー
３２　　機能キー
３３　　送話用の音孔
３４Ａ〜３４Ｃ
操作キー
４　　　第２の筐体（中央側筐体部）
４１　　表示部
５　　　軸受部
５Ａ　　軸受
５Ｂ　　軸
５Ｃ　　軸受
５１　　モータ
５２　　減速装置
６　　　受話側筐体部
６１　　受話用の音孔
６２　　近接センサ
７１　　モータ制御部
７２　　受話側筐体開閉角度記憶部
７３　　操作キー検出部
７４　　キー入力部
７５　　近接検出部
７６　　筐体開閉検出部
７７　　中央制御部
【図１】
2004112061.tif 000003
【図２】
2004112061.tif 000004
【図３】
2004112061.tif 000005
【図４】
2004112061.tif 000006
【図５】
2004112061.tif 000007
【図６】
2004112061.tif 000008
【図７】
2004112061.tif 000009